(57)【特許請求の範囲】
【請求項１】
複数のアクセスネットワーク（２１０，２２０）を有する移動ネットワーク内のユーザ装置（３００）の通信の制御の方法であって、
前記複数のアクセスネットワーク（２１０，２２０）の１つであり前記ユーザ装置（３００）により現在使用されているアクセスネットワークへの前記ユーザ装置（３００）のアクセスを制御する制御ノード（１１０）において、前記アクセスネットワーク（２１０，２２０）内の前記ユーザ装置（３００）のアクセス能力を決定するステップと、
前記ユーザ装置（３００）に関連付けられた加入者データベース（１５０）に前記決定されたアクセス能力の表示を提供するステップと、
を含み、前記アクセス能力は、パケット交換アクセス上での音声通信のサポートを含むことを特徴とする方法。
【請求項２】
前記表示は、前記ユーザ装置（３００）が前記移動ネットワークに接続するのに応答して提供されることを特徴とする請求項１に記載の方法。
【請求項３】
前記表示は、前記ユーザ装置（３００）が前記アクセスネットワーク（２１０，２２０）から他のアクセスネットワーク（２１０，２２０）に移動するのに応答して提供されることを特徴とする請求項１又は２に記載の方法。
【請求項４】
前記アクセス能力が変化したか否かを決定するステップと、
前記アクセス能力が変化したとき、前記加入者データベース（１５０）に前記表示を提供するステップと、
を含むことを特徴とする請求項１乃至３の何れか一項に記載の方法。
【請求項５】
前記アクセス能力は、ショート・メッセージ・サービスのための回線交換フォールバックのサポート、音声サービスのための回線交換フォールバックのサポート、アイドルモードシグナリング削減が有効か否か、の少なくとも１つを含むことを特徴とする請求項１乃至４の何れか一項に記載の方法。
【請求項６】
複数のアクセスネットワーク（２１０，２２０）を有する移動ネットワーク内のユーザ装置（３００）の通信の制御の方法であって、
前記ユーザ装置（３００）に関連付けられた加入者データベース（１５０）から、前記複数のアクセスネットワーク（２１０，２２０）の１つであり前記ユーザ装置（３００）により現在使用されているアクセスネットワーク内の前記ユーザ装置（３００）のアクセス能力の表示を受信するステップと、
前記受信した表示に基づいて、前記ユーザ装置（３００）への接続の終端を制御するステップと、
を含み、前記アクセス能力は、パケット交換アクセス上での音声通信のサポートを含むことを特徴とする方法。
【請求項７】
前記アクセス能力は、ショート・メッセージ・サービスのための回線交換フォールバックのサポート、音声サービスのための回線交換フォールバックのサポート、アイドルモードシグナリング削減が有効か否か、の少なくとも１つを含むことを特徴とする請求項６に記載の方法。
【請求項８】
前記受信された表示がパケット交換アクセス上での音声通信をサポートすることを示すとき、パケット交換アクセス上での音声通信を使用している接続を終端すると決定するステップを含むことを特徴とする請求項６又は７に記載の方法。
【請求項９】
前記受信された表示がパケット交換アクセス上での音声通信をサポートしないことを示すとき、回線交換アクセスを使用している接続を終端すると決定するステップを含むことを特徴とする請求項６乃至８の何れか一項に記載の方法。
【請求項１０】
前記加入者データベース（１５０）にメッセージを送信することによって前記表示を要求するステップを含むことを特徴とする請求項６乃至９の何れか一項に記載の方法。
【請求項１１】
複数のアクセスネットワーク（２１０，２２０）を有する移動ネットワーク内のユーザ装置（３００）の通信の制御の方法であって、
前記ユーザ装置（３００）に関連付けられた加入者データベース（１５０）において、前記複数のアクセスネットワーク（２１０，２２０）の１つであり前記ユーザ装置（３００）により現在使用されているアクセスネットワーク内の前記ユーザ装置（３００）のアクセス能力の表示を受信するステップと、
前記表示を前記加入者データベース（１５０）に格納するステップと、
前記加入者データベース（１５０）から、前記ユーザ装置（３００）への接続の終端を制御するように構成されたサーバ（１６０）に前記表示を送信するステップと、
を含み、前記アクセス能力は、パケット交換アクセス上での音声通信のサポートを含むことを特徴とする方法。
【請求項１２】
前記アクセス能力は、ショート・メッセージ・サービスのための回線交換フォールバックのサポート、音声サービスのための回線交換フォールバックのサポート、アイドルモードシグナリング削減が有効か否か、の少なくとも１つを含むことを特徴とする請求項１１に記載の方法。
【請求項１３】
複数のアクセスネットワーク（２１０，２２０）を有する移動ネットワーク内で使用される制御ノード（１１０）であって、
前記制御ノード（１１０）は、前記複数のアクセスネットワーク（２１０，２２０）の１つでありユーザ装置（３００）により現在使用されているアクセスネットワークへの前記ユーザ装置（３００）のアクセスを制御するよう構成されており、
前記制御ノード（１１０）は、前記アクセスネットワーク（２１０，２２０）内の前記ユーザ装置（３００）のアクセス能力を決定し、前記ユーザ装置（３００）に関連付けられた加入者データベース（１５０）に前記決定されたアクセス能力の表示を送信するよう構成されており、
前記アクセス能力は、パケット交換アクセス上での音声通信のサポートを含む、
ことを特徴とする制御ノード（１１０）。
【請求項１４】
前記制御ノード（１１０）は、請求項１乃至５の何れか一項に記載の方法に従って動作するよう構成されていることを特徴とする請求項１３に記載の制御ノード（１１０）。
【請求項１５】
複数のアクセスネットワーク（２１０，２２０）を有する移動ネットワーク内で使用されるサーバ（１６０）であって、
前記サーバ（１６０）は、ユーザ装置（３００）への接続終端の提供を制御するよう構成されており、
前記サーバ（１６０）は、前記ユーザ装置（３００）に関連付けられた加入者データベース（１５０）から、前記複数のアクセスネットワークの１つであり前記ユーザ装置（３００）により現在使用されているアクセスネットワーク内の前記ユーザ装置（３００）のアクセス能力の表示を受信し、前記受信した表示に基づいて、前記ユーザ装置（３００）への接続の終端を制御するよう構成されており、
前記アクセス能力は、パケット交換アクセス上での音声通信のサポートを含む、
ことを特徴とするサーバ（１６０）。
【請求項１６】
前記サーバ（１６０）は、請求項６乃至１０の何れか一項に記載の方法に従って動作するよう構成されていることを特徴とする請求項１５に記載のサーバ（１６０）。
【請求項１７】
複数のアクセスネットワーク（２１０，２２０）を有する移動ネットワーク内で使用される加入者データベース（１５０）であって、
前記加入者データベース（１５０）は、ユーザ装置（３００）に関連付けられており、
前記加入者データベース（１５０）は、前記複数のアクセスネットワークの１つであり前記ユーザ装置（３００）により現在使用されているアクセスネットワーク内の前記ユーザ装置（３００）のアクセス能力の表示を、前記アクセスネットワーク（２１０，２２０）への前記ユーザ装置（３００）のアクセスを制御する制御ノード（１１０）から受信し、前記表示を格納し、前記ユーザ装置（３００）への接続の終端を制御するように構成されたサーバ（１６０）に前記表示を送信するよう構成されており、
前記アクセス能力は、パケット交換アクセス上での音声通信のサポートを含む、
ことを特徴とする加入者データベース（１５０）。
【請求項１８】
前記加入者データベース（１５０）は、請求項１１又は１２に記載の方法に従って動作するよう構成されていることを特徴とする請求項１７に記載の加入者データベース（１５０）。
【請求項１９】
複数のアクセスネットワークを有する移動ネットワークのネットワーク装置のプロセッサにより実行され、該ットワーク装置に、請求項１乃至１２の何れか一項に記載の方法を実行させるコンピュータプログラム。
【発明の詳細な説明】
【技術分野】
【０００１】
本発明は、移動ネットワークにおけるアクセス能力情報を取り扱う方法及び対応する装置に関するものである。
【背景技術】
【０００２】
移動ネットワークは、現在、純粋な回線交換（ＣＳ）ネットワークからパケット交換（ＰＳ）ネットワーク、特に、インターネット・プロトコル（ＩＰ）ベースのネットワークに発展してきており、また、インターネット、ワールドワイド・ウェブ及びデータ通信産業にも使用されるＩＰベースのインフラストラクチャに統合されてきている。
【０００３】
より詳細には、ＩＰベースのネットワーク上の音声通信を可能とする技術がもたらされている。この種の技術の実施例は、ＤＳＬアクセスを介したＩＰ上の音声（ＶｏＩＰ）又はＷＬＡＮアクセスを介したＩＰ上の音声である。移動ネットワークにおいても、ＩＰベースのネットワーク上の音声通信がもたらされている。この種の移動ネットワークの実施例は、第３世代パートナーシッププロジェクト（３ＧＰＰ）技術仕様（ＴＳ）に従う移動ネットワークである。
【０００４】
例えば、移動ネットワークオペレータは、ＩＭＳ（ＩＰマルチメディアサブシステム）ネットワークを導入し、ＩＭＳサービスを提供するかもしれない。これらのサービスを、典型的に移動ネットワークへのＣＳアクセスを使用する加入者（例えば、移動通信のためのグローバルシステム（ＧＳＭ）アクセス又は広帯域符号分割多重（ＷＣＤＭＡ）アクセスの加入者のような２Ｇ及び３Ｇネットワークの加入者）が同様に利用可能にすることが望ましい。２Ｇ／３Ｇアクセス技術の他の実施例は、汎用パケット無線サービス（ＧＰＲＳ）、ＧＳＭのための拡張データレート（ＥＤＧＥ）又は拡張ＧＰＲＳ（ＥＧＰＲＳ）、ユニバーサル移動通信システム（ＵＭＴＳ）及び高速パケットアクセス（ＨＳＰＡ）である。本明細書では、２Ｇ／３Ｇのこのグループの加入者からの／への発呼は、ＩＭＳサービス・エンジンがこの発呼及び関連するサービスを実行するために、ＩＭＳネットワークを介して経路制御される。この概念は、所謂ＩＭＳ集中サービス（ＩＣＳ）である。３ＧＰＰでのＩＭＳ集中サービス仕様は、ＩＭＳサービスへのアクセスにＣＳアクセスを使用することをターゲットとしており（３ＧＰＰ＿ＴＳ  ２３．２９２を参照）、ＩＭＳサービス連続性（３ＧＰＰ＿ＴＳ  ２３．２３７を参照）により補完される。
【０００５】
更に、エボルブド・パケットコア（ＥＰＣ）と称する技術が３ＧＰＰロング・ターム・エボリューション（ＬＴＥ）のエボルブド・パケットシステム（ＥＰＳ）の一部としてもたらされ、エボルブドＵＭＴＳ地上無線アクセスネットワーク（Ｅ−ＵＴＲＡＮ）と称する無線アクセスネットワーク（ＲＡＮ）をサポートする。３ＧＰＰのＬＴＥでは、音声通信は典型的にＰＳアクセスを使用して実施される（例えば、ＩＭＳ上の音声または汎用アクセスを介したＬＴＥ上の音声（ＶｏＬＧＡ）と呼ばれる技術を使用する（”http://www.volgaforum.com”からインターネットを介して入手可能なＶｏＬＧＡステージ２の仕様書を参照）。ＬＴＥ無線アクセスネットワークをサポートする移動ネットワークにおいて音声通信を実施する他の方法は、２Ｇ又は３Ｇ無線アクセスネットワーク（例えば、ＧＳＭ＿ＥＤＧＥ無線アクセスネットワーク（ＧＥＲＡＮ）又はＵＭＴＳ地上無線アクセスネットワーク（ＵＴＲＡＮ））への回線交換フォールバック（ＣＳＦＢ）を使用することである。ＣＳＦＢの概念は、３ＧＰＰ＿ＴＳ  ２３．２７２に記載されている。ＥＰＳでのＣＳドメイン・サービスの実施の研究は、３ＧＰＰ技術レポート２３．８７９に見いだされる。また、ＰＳドメインからＣＳドメインおよびその逆でのＩＭＳ音声通話のドメイン間ハンドオーバ（ＨＯ）を可能にする単一無線音声通話連続性（ＳＲ−ＶＣＣ）を実装することも提唱されている（３ＧＰＰ＿ＴＳ  ２３．２１６を参照）。ＳＲ−ＶＣＣは、Ｅ−ＵＴＲＡＮ又はＵＴＲＡＮを介したＰＳアクセスからＵＴＲＡＮ又はＧＥＲＡＮを介したＣＳアクセス及びその逆のＳＲ−ＶＣＣをサポートするＩＭＳ集中ソリューションのためにＩＣＳに統合されることが望ましい。
【０００６】
以下に、３ＧＰＰの移動管理の態様を更に詳細に述べる。図１及び図２は、異なるアクセス技術タイプを有する移動ネットワークにおける移動シナリオを概念的に示している。図１及び図２は、両方とも、移動ネットワークが、２Ｇアクセス技術（例えばＧＳＭアクセス技術）、３Ｇアクセス技術（例えばＷＣＤＭＡアクセス技術）及びＬＴＥアクセス技術を含むシナリオに関連している。図１において、２Ｇアクセス技術は、位置エリア（ＬＡ）及びルーティングエリア（ＲＡ）２００Ａを有し（３ＧＰＰ＿ＴＳ  ２３．０６０を参照）、３Ｇアクセス技術のＬＡ及びＲＡ２００Ｂとは分離されている。２Ｇアクセス技術は、２ＧサービングＧＰＲＳサポートノード（ＳＧＳＮ）１１０Ａにより制御され、３Ｇアクセス技術は、３Ｇ＿ＳＧＳＮ１１０Ｂにより制御され、ＬＴＥアクセス技術はＬＴＥ移動管理エンティティ（ＭＭＥ）１１０Ｃにより制御される。図２において、２Ｇアクセス技術及び３Ｇアクセス技術は、混合されたＬＡ及びＲＡ２００Ａ／Ｂを有し、混合された２Ｇ／３Ｇ＿ＳＧＳＮ１１０Ａ／Ｂにより制御される。図１及び図２の矢印が示すように、ＵＥは、２Ｇ／３Ｇのアクセス技術からＬＴＥアクセス技術及びその逆に移動し得る。２Ｇ／３Ｇのアクセス技術からＬＴＥアクセス技術まで移動するとき、ＬＴＥトラッキングエリア（ＴＡ）１００Ｃ（３ＧＰＰ＿ＴＳ  ２３．４０１を参照）に関する情報がトラッキングエリア更新（ＴＡＵ）を実行することにより更新され得る。ＬＴＥアクセス技術から２Ｇ／３Ｇのアクセス技術まで移動するとき、２Ｇ／３ＧのＬＡ／ＲＡに関する情報は位置エリア更新（ＬＡＵ）又はルーティングエリア更新（ＴＡＵ）を実行することにより更新され得る。
【０００７】
アイドルモードにおいて２Ｇ／３Ｇのアクセスネットワーク及びＬＴＥアクセスネットワークの間で前後に移動するとき、シグナリングを縮減するために、アイドルモード・シグナリング削減（ＩＳＲ）と称するメカニズムが実装される（３ＧＰＰ＿ＴＳ  ２３．４０１を参照）。ＩＳＲは、端末では必須であり、ネットワークではオプションである。ＩＳＲは、Ｓ４−ＳＧＳＮ（すなわちＭＭＥに向かうＳ４インタフェースを有するＳＧＳＮ）を必要とする。下にある２Ｇ／３Ｇのネットワークが２Ｇ及び３Ｇのための別々のＬＡ／ＲＡを有する場合、ＩＳＲは、現在、ＬＴＥと２Ｇの間又はＬＴＥと３Ｇの間の何れかのみで可能であり、両方同時には出来ない。下にある２Ｇ／３Ｇのネットワークが２Ｇ及び３Ｇのための合成されたＬＡ／ＲＡを有する場合、ＩＳＲはＬＴＥと２Ｇ／３Ｇの間で可能である。ここで、合成された２Ｇ／３ＧのＲＡＵ／ＬＡＵについては、ＵＥがＧＳＭ又はＷＣＤＭＡ／ＨＳＰＡの何れのカバー範囲に存在するかは不明である点に留意する必要がある。
【０００８】
ＩＳＲが有効である場合、ＬＴＥと２Ｇ／３Ｇの間でアイドルモード移動を実行するとき、ユーザ装置（ＵＥ）は典型的にＴＡＵ、ＲＡＵ又はＬＡＵを実行せず、ＵＥはＩＭＳ（再）登録を実行しない。ＩＳＲが無効である場合、ＵＥはＩＭＳ（再）登録を実行しない。合成されたＲＡ／ＬＡの場合、ＨＳＰＡとＧＳＭの間でアイドルモード移動を実行するとき、ＵＥはＲＡＵ又はＬＡＵを実行しないかもしれない。受信されたＬＡＩ（位置エリア識別子）が格納されたＬＡＩと異なるとき、ＬＡＵは周期的な位置更新が必要なとき（３ＧＰＰ＿ＴＳ  ２４．００８を参照）、ＶｏＬＧＡが使用されるとき又はＥ−ＵＴＲＡＮにキャンプする間、２Ｇ／３ＧのターゲットセルにサービスするＭＳＣ（移動交換局）がＵＥにサービスするＭＳＣと異なるとき（３ＧＰＰ＿ＴＳ  ２３．２７２を参照）、ＵＥがＬＡＵを実行することは公知である。ＣＳフォールバックもＶｏＬＧＡも使用されていない場合、ＬＴＥのカバー範囲はＣＳの視点から”カバー範囲ホール”であり、すなわち、ＵＥがＬＴＥからＣＳまで戻るとき、通常、位置更新が実行されない。ＵＥがＬＴＥに入る前にＣＳに接続していた場合、ＵＥは、ＬＡＩが変化したとき又は周期的ＬＡＵタイマが満了したときにのみＵＴＲＡＮ又はＧＥＲＡＮのカバー範囲に再び入るときＬＡＵを実行する。ＵＥがＬＴＥに入る前にＣＳに接続していなかった場合、ＵＥはＵＴＲＡＮ又はＧＥＲＡＮのカバー範囲に入るときＬＡＵを実行する。
【０００９】
図３のテーブルは、ＬＴＥとＣＳの間で移動しているＵＥに対してありうる複数ケースの呼の終端の概要を示している：ここで、ＵＥがＨＳＰＡとＣＳの間で移動する場合、対応する複数ケースの呼の終端が存在する点に留意する必要がある。移動ネットワークにおいて、サービス集中連続アプリケーション・サーバ（ＳＣＣ＿ＡＳ）（３ＧＰＰ＿ＴＳ  ２３．２９２及びＴＳ  ２３．２３７により規定される）と呼ばれるサーバが、ＣＳ又はＬＴＥかＨＳＰＡを使用しているＰＳの呼を終端するべきかどうか決定する。この点で、呼セッションの終端又は接続は、ＰＳアクセスを使用するか又はＣＳアクセスを使用して達成され得る、移動ネットワークからＵＥまでのアクセスレッグによるＵＥへの着呼、セッション又は接続の補足の処理を参照する。３ＧＰＰ＿ＴＳ  ２３．２３７及び２３．２９２において、この処理は、また、アクセスドメイン選択終端（Ｔ−ＡＤＳ）と称する。図３のテーブルにおいて、”ＭＳＣ−Ｓに登録”は、ＭＳＣ−Ｓ（ＭＳＣサーバ）がＩＣＳのために拡張されＩＭＳのユーザを登録することを意味する。
【００１０】
以下では、アイドルモード移動の場合における終端シナリオを更に説明する。一般に、Ｔ−ＡＤＳ方式はＳＣＣ＿ＡＳにＩＭＳ登録及び最後の使用ドメインの追跡を続けさせ、進行中の呼のケースを含む。それ故、以下の終端シナリオが、可能である：ＵＥがＬＴＥ／ＨＳＰＡを介した音声に対するＩＭＳ登録されるのみの場合、ＵＥは最後の呼に対してＬＴＥ／ＨＳＰＡを使用した場合、ＳＣＣ＿ＡＳは、ＬＴＥ／ＨＳＰＡを介した呼を終端することを決定する。ＵＥがＬＴＥ／ＨＳＰＡを介した音声に対するＩＭＳ登録のみされ、ＣＳが最後の呼に使用された場合、ＳＣＣ＿ＡＳは、ＣＳを介した呼を終端することを決定する。これは、ＵＥがまだ音声に対するＩＭＳ登録のみされＭＳＣサーバが最後の呼をＣＳに転送し終端呼が入来するＳＲＶＣＣの後に起こるかもしれない。ＭＳＣサーバによってＵＥが音声に対するＩＭＳ登録のみされているとき、ＳＣＣ＿ＡＳはＭＳＣサーバを介して呼を終端することを決定する。ＵＥがＬＴＥ／ＨＳＰＡを介して及びＭＳＣを介して双方で音声に対して登録されている場合、ＳＣＣ＿ＡＳは、最後に使用されたドメイン、最後に登録されたドメイン又はユーザ又はオペレータの嗜好に従った呼を終端することを決定する。ＵＥのＩＭＳ登録がない場合、ＳＣＣ＿ＡＳは、ＩＣＳのために拡張されていないＭＳＣサーバを介して着信呼を配信することを決定する（”ＣＳドメインへのブレークアウト”）。したがって、ＳＣＣ＿ＡＳは、最初に、最後に更新されたドメインを介した呼の終端を試行する。ＵＥがＧＥＲＡＮ／ＵＴＲＡＮ上にキャンプしている間のＰＳ上の終端の場合、ＵＥによるＴ−ＡＤＳが使用されている場合であっても又はエラーがＳＣＣ＿ＡＳに報告される。無応答の場合、（例えば、上述のように）タイマーは満了し、又は、エラーが報告され、ＳＣＣ＿ＡＳは他のドメインを試行する。
【００１１】
さらに、ＬＴＥ／ＨＳＰＡと２Ｇ／３Ｇの間のアイドルモード移動は、ＵＥがＣＳに接続しＬＴＥ／ＨＳＰＡを介してＩＭＳ登録が実行されるとき追加でＭＳＣサーバによっても登録されることを一般に意味する。更に、ＧＥＲＡＮ又はＵＴＲＡＮアクセスを使用するとき、ＩＭＳ能力があるＵＥはＩＭＳにおいても登録され得る点に留意する必要がある。
【００１２】
しかしながら、周知のＴ−ＡＤＳ手順が、望ましくない遅延やＵＥによる不要なトラフィックを生じさせるいくつかの状況が起こるかもしれない。この種の状況の第１の例は、ＩＳＲが有効で有り、ＬＴＥと２Ｇ／３Ｇの間で切り替えるときＵＥがＴＡＵ、ＲＡＵ／ＬＡＵを実行しない状況である。したがって、ＳＣＣ＿ＡＳは、ＵＥの現在のアクセス・ドメインを知らないという可能性が高い。ＵＥがＧＥＲＡＮ／ＵＴＲＡＮ上にキャンプしている間、ＰＳを介した終端の試行の不成功となり得、終端処理に遅延を追加し得る。この種の状況の第２の例は、ＩＳＲが無効又は使用されておらす、ＬＴＥと２Ｇ／３Ｇの間で切り替えるときＵＥがＲＡＵ／ＬＡＵ、ＴＡＵを実行する状況である。ここで、ＨＳＰＡ上のＭＭＴｅｌ（マルチメディア電話）のサポートは２Ｇ及び３Ｇに対して別々のＲＡ／ＬＡを想定する点に留意する必要がある。ＬＡＵの場合、３ＧＰＰ＿ＴＳ  ２３．２９２において指定されるように、ＭＳＣサーバはＩＭＳ内で（再）登録を実行し得、それによって、ＵＥがＣＳ内で到達可能であることを示す。ＭＳＣサーバが拡張されていない場合、ＳＣＣ＿ＡＳは、加入者がＣＳドメイン内で到達可能かどうかを決定するためにホームロケーションレジスタ（ＨＬＲ）のＣＳ接続情報に依存するかもしれない。そのため、ＵＥは、一旦、使用されたアクセスがそれほど変化しないと決定すると、ＶｏＩＰのアクセス能力が変化したとき登録を更新し得る。また、ＳＣＣ＿ＡＳは、例えば、呼を終端するときに、最後に接続したタイムスタンプをチェックするために、モバイルアプリケーションパート・エニタイムインタロゲーション（マップＡＴＩ）を使用するかもしれない。第２の例においては、ＳＣＣ＿ＡＳはＵＥの現在のアクセス・ドメインを知っている可能性が高いので、ＵＥがＧＥＲＡＮ／ＵＴＲＡＮ上でキャンプしている間、ＰＳを介した終端の試行の不成功は回避されうる。しかしながら、シグナリング負荷は増加する。
【００１３】
そのため、ＳＣＣ＿ＡＳがＬＴＥ／ＨＳを介した音声の有効なＩＭＳ登録を有しており、登録されたコンタクトに向かって呼を終端することが発生し得るが、ＵＥはＧＥＲＡＮ／ＵＴＲＡＮに移動するかもしれず、そのため、ＶｏＩＰ能力があるカバー範囲から範囲から出るかもしれない。そして、使用されるべきＵＥのＴ−ＡＤＳの場合及び／又はエラーの場合がＳＣＣ＿ＡＳ（３ＧＰＰ＿ＴＳ  ２３．２９２を参照）に報告される。ＵＥのＴ−ＡＤＳの場合には、ＵＥはＣＳベアラをセットアップし、ＰＳドメインが使用できないエラー条件についてＳＣＣ＿ＡＳに通知しうる。ＵＥからエラー応答を受信した場合、ＳＣＣ＿ＡＳは代わりに終端のためにＣＳドメインを試行する。
【００１４】
いずれにせよ、ＰＳを介した呼の準備が失敗する場合、ＣＳ発信呼レッグ又はＣＳ着信呼レッグを確立する必要によって、呼セットアップ時間は増加する。
【００１５】
ＩＳＲが有効な場合、ＵＥはＴＡリスト／ＲＡ毎にＴＡＵ／ＲＡＵを実行しない。これにより、コアネットワークとのシグナリングが削減されるが、同時に、ＳＣＣ＿ＡＳがＵＥがキャンプしている現在のアクセス・ドメインを知らないという可能性を増加させる。ＵＥがアイドル・モードでありＩＭＳ登録を実行していない場合に特に当てはまる。ＵＥが呼に対して有効な場合、ＳＣＣ＿ＡＳは、概して、ＵＥによって使用されるアクセス・ドメインを知っている。
【００１６】
ＩＳＲが有効でない場合について見てみると、ＵＥは、ＬＴＥと２Ｇ／３Ｇの間で切り替えをするとき、ＲＡＵ／ＬＡＵ、ＴＡＵを実行することが観測される。ＨＳＰＡ上でのＭＭＴｅｌサポートの場合には、２Ｇ及び３Ｇに対して別々のＲＡ／ＬＡがあるときのみにこれは当てはまる。
【００１７】
ＵＥは、”ＰＳセッション上でのＩＭＳ音声サポートの表示”を、ＴＡリスト／ＲＡ毎にＭＭＥ、ＳＧＳＮ又は両方から受信しり。これらの表示は、同一のＴＡ／ＲＡにおいて有効である。ＵＥは、ＩＳＲが使用されているか否かに関係なく、”ＰＳセッション上でのＩＭＳ音声サポートの表示”を、ＵＥが有効に登録されているＴＡリスト／ＲＡ毎に記憶できる。
【００１８】
ＵＥが、ＬＴＥを上でのＩＭＳ＿ＰＳ音声が可能である表示を受け取り、ＩＭＳ＿ＰＳ音声が不可能なＵＴＲＡＮ／ＧＥＲＡＮに移動するとき、ＵＥがＲＡＵを実行する場合であっても、ＩＭＳ及びＳＣＣ＿ＡＳは、特に、ＩＭＳ登録に依存しているためＰＳアクセス能力に関する誤った情報を有することになり、それ故、正しい終端ドメイン選択を行うことが出来ない。
【００１９】
理解されるように、既存のソリューションは、（例えば上述の第１の実施例のように）呼の終端に対する遅延を増大させるか、又は、（例えば上述の第２の実施例のようにＶｏＩＰアクセス能力の変化のときＵＥはＩＭＳ登録が必要になるため）シグナリング負荷を増大させ、特にＵＥがアイドル・モードであるとき、ＵＥのバッテリを消耗させ得る。ある場合において、ＵＥのアクセス能力に関するＳＣＣ＿ＡＳの知識（例えばＰＳアクセス上での音声通信のサポート）の不足が、結果として不成功の終端試行となり、遅延を増大させる。他の場合において、アクセス能力情報は、バッテリ寿命に観点で望ましくない、ＵＥに関するシグナリング負荷の増大を犠牲にして利用できる。
【００２０】
したがって、現在使用されているアクセスネットワークのＵＥのアクセス能力情報を効率的に取り扱う技術の必要性がある。
【発明の概要】
【００２１】
本発明の一実施例によれば、複数のアクセスネットワークを有する移動ネットワーク内のユーザ装置の通信の制御に使用され得る方法が提供される。当該方法によれば、複数のアクセスネットワークの１つでありユーザ装置により現在使用されているアクセスネットワークへのユーザ装置のアクセスを制御する制御ノードが、アクセスネットワーク内のユーザ装置のアクセス能力を決定する。決定されたアクセス能力の表示が、ユーザ装置に関連付けられた加入者データベースに提供される。
【００２２】
本発明の他の実施例によれば、複数のアクセスネットワークを有する移動ネットワーク内のユーザ装置の通信の制御に使用され得る方法が提供される。当該方法によれば、ユーザ装置に関連付けられた加入者データベースから、複数のアクセスネットワークの１つでありユーザ装置により現在使用されているアクセスネットワーク内のユーザ装置のアクセス能力の表示が受信される。受信した表示に基づいて、ユーザ装置への接続の終端が制御される。
【００２３】
本発明の他の実施例によれば、複数のアクセスネットワークを有する移動ネットワーク内のユーザ装置の通信の制御に使用され得る方法が提供される。当該方法によれば、ユーザ装置に関連付けられた加入者データベースにおいて、複数のアクセスネットワークの１つでありユーザ装置により現在使用されているアクセスネットワーク内のユーザ装置のアクセス能力の表示が受信される。表示は加入者データベースに格納される。さらに、表示は、加入者データベースから、ユーザ装置への接続の終端を制御するように構成されたサーバに送信される。
【００２４】
本発明の他の実施例によれば、制御ノードが提供される。制御ノードは、複数のアクセスネットワークを有する移動ネットワーク内で使用され得る。制御ノードは、複数のアクセスネットワークの１つでありユーザ装置により現在使用されているアクセスネットワークへのユーザ装置のアクセスを制御するよう構成されている。さらに、制御ノードは、アクセスネットワーク内のユーザ装置のアクセス能力を決定し、ユーザ装置に関連付けられた加入者データベースに決定されたアクセス能力の表示を送信するよう構成されている。
【００２５】
本発明の他の実施例によれば、サーバが提供される。サーバは、複数のアクセスネットワークを有する移動ネットワーク内で使用され得る。サーバは、ユーザ装置への接続終端の提供を制御するよう構成されている。より詳細には、サーバは、ユーザ装置に関連付けられた加入者データベースから、複数のアクセスネットワークの１つでありユーザ装置により現在使用されているアクセスネットワーク内のユーザ装置のアクセス能力の表示を受信し、受信した表示に基づいて、ユーザ装置への接続の終端を制御するよう構成されている。
【００２６】
本発明の他の実施例によれば、加入者データベースが提供される。加入者データベースは、複数のアクセスネットワークを有する移動ネットワーク内で使用され得、ユーザ装置に関連付けられている。加入者データベースは、複数のアクセスネットワークの１つでありユーザ装置により現在使用されているアクセスネットワーク内のユーザ装置のアクセス能力の表示を、アクセスネットワークへのユーザ装置のアクセスを制御する制御ノードから受信し、表示を格納し、ユーザ装置への接続の終端を制御するように構成されたサーバに表示を送信するよう構成されている。
【００２７】
更なる実施例によれば、他の方法、ネットワーク要素又はコンピュータ・プログラム製品が提供され得る。
【図面の簡単な説明】
【００２８】
【図１】２Ｇ／３Ｇのアクセス技術及びＬＴＥアクセス技術を有する例示的な移動ネットワークにおける移動を示す概念図である。
【図２】２Ｇ／３Ｇのアクセス技術及びＬＴＥアクセス技術を有する更なる例示的な移動ネットワークにおける移動を示す概念図である。
【図３】ＬＴＥアクセスネットワークとＣＳアクセスネットワークとの間で移動するＵＥにおいてあり得る着信呼の場合を示すテーブルを示す図である。
【図４】本発明の一実施例に係る概念を実装する移動ネットワーク環境を示す図である。
【図５】本発明の一実施例に係る制御ノードを示す図である。
【図６】本発明の一実施例に係る加入者データベースを示す図である。
【図７】本発明の一実施例に係るアプリケーション・サーバを示す図である。
【図８】本発明の一実施例に係る方法を示すフローチャートである。
【図９】本発明の一実施例に係る更なる方法を示すフローチャートである。
【図１０】本発明の一実施例に係る更なる方法を示すフローチャートである。
【発明を実施するための形態】
【００２９】
以下では、本発明は、例示的実施形態及び添付の図面を参照して更に詳細に説明されている。説明される実施例は、移動ネットワーク（例えば、ＬＴＥアクセスネットワーク及び２Ｇ／３Ｇのアクセスネットワークの両方を含む移動ネットワーク）内でのアクセス能力情報の取扱いに関連する。しかしながら、本明細書に記載されている概念は他のタイプの移動ネットワーク（例えば、ＨＳＰＡ及び２Ｇ／３ＧのＣＳアクセスを介したＰＳアクセスを提供する移動ネットワーク）に適用され得ることは理解されるべきである。
【００３０】
図４は、ＬＴＥアクセスネットワーク及び２Ｇ／３Ｇのアクセスネットワークを含む移動ネットワーク環境を例示的に示している。図４において、Ｅ−ＵＴＲＡＮ２１０は、ＬＴＥアクセスネットワークの例として示されており、２Ｇ／３Ｇ＿ＲＡＮ２２０は、２Ｇ／３Ｇアクセスネットワークの例として示されている。ＲＡＮ２１０、２２０は、異なるアクセスタイプ（すなわちＣＳアクセス、ＰＳアクセス又は両方）をサポートするかもしれない。図示された移動ネットワークにおいて、２Ｇ／３Ｇ＿ＲＡＮはＰＳアクセス及びＣＳアクセスの両方をサポートするのに対して、Ｅ−ＵＴＲＡＮ２１０はＰＳアクセスをサポートする。しかしながら、Ｅ−ＵＴＲＡＮ２１０によって及び／又は特に２Ｇ／３Ｇ＿ＲＡＮ２２０によってサポートされるＰＳアクセスは、場合によっては音声通信（例えばＩＭＳ音声サービス）をサポートするにに適していないかもしれない。
【００３１】
異なるＲＡＮ２１０、２２０のＰＳアクセス機能は、対応する制御ノードにより制御される。すなわち、３ＧＰＰ＿ＴＳに従って、ＬＴＥアクセスネットワークはＭＭＥ機能を有する１つ以上の制御ノードにより制御され、２Ｇ／３ＧのアクセスネットワークはＳＧＳＮ機能を有する１つ以上の制御ノードにより制御される。従って、以下では、制御ノード１１０は、ＳＧＳＮ１１０、ＭＭＥ１１０又はＳＧＳＮ／ＭＭＥ１１０とも称する。図４において、制御ノード１１０が示される。より良い概略のために、単一の制御ノードのみが示されていることは理解されるべきであり、Ｅ−ＵＴＲＡＮ２１０に関してＭＭＥとして動作し、２Ｇ／３Ｇ＿ＲＡＮに関してＳＧＳＮとして動作できる。実際には、複数の制御ノードが、移動ネットワーク（例えばＭＭＥ機能を有する複数の制御ノード及びＳＧＳＮ機能を有する複数の制御ノード）に提供される。ＳＧＳＮ機能を有する更なる別々の制御ノードが、２Ｇ及び３Ｇ＿ＲＡＮ（図１を参照）に対して提供され得る。また、典型的に、各々の制御ノードは複数のＲＡＮにサービスを提供することは理解されるべきである。本発明の実施例に特有である制御ノード１１０更なる機能については後述する。
【００３２】
同様に、２Ｇ／３Ｇ＿ＲＡＮ２２０のＣＳアクセス機能は対応する制御ノード１２０により制御される。例えば、制御ノード１２０は、３ＧＰＰ＿ＴＳに従ったＭＳＣ−Ｓの機能を実装し得る。従って、以下では、制御ノード１２０をＭＳＣ−Ｓ１２０とも称する。また、移動ネットワークが、実際にはＭＳＣ−Ｓ機能を有する複数の制御ノードを含み、この種の制御ノードの各々は複数の２Ｇ／３Ｇのアクセスネットワークにサービスを提供しうることは理解されるべきである。
【００３３】
したがって、図４の移動ネットワークは、Ｅ−ＵＴＲＡＮ２１０、２Ｇ／３Ｇ＿ＲＡＮ及び制御ノード１１０を有するＰＳアクセス・ドメイン、及び、２Ｇ／３Ｇ＿ＲＡＮ及び制御ノード１２０を有するＣＳアクセス・ドメインを含む。
【００３４】
図示するように、ＰＳアクセス・ドメインは、更に、ゲートウェイ・ノード１３０、ポリシー制御ノード１４０、加入者データベース１５０、セッション連続アプリケーション・サーバ１６０、呼セッション制御ノード１７０及び他のアプリケーション・サーバ（例えばマルチメディア処理ノード１８５に接続し得るマルチメディア・アプリケーション・サーバ１８０）を含む。ゲートウェイ・ノード１３０は、サービングゲートウェイ（Ｓ−ＧＷ）として又は３ＧＰＰ＿ＴＳに従うパケットデータネットワーク・ゲートウェイ（ＰＤＮ＿ＧＷ）として動作しうる。従って、以下では、ゲートウェイ・ノード１３０は、Ｓ−ＧＷ１３０又はＰＤＮ＿ＧＷ１３０とも称する。ポリシー制御ノード１４０は、３ＧＰＰ＿ＴＳに従ってポリシー課金ルール制御機能（ＰＣＲＦ）として動作しうる。呼セッション制御ノード１７０は、３ＧＰＰ＿ＴＳに従って、プロキシＣＳＣＦ（Ｐ−ＣＳＣＦ）及びサービングＣＳＣＦ（Ｓ−ＣＳＣＦ）サブ機能を含む呼セッション制御機能（ＣＳＣＦ）として動作しうる。従って、以下では、呼セッション制御ノード１７０は、ＣＳＣＦ１７０と称され、又は、特定のサブ機能に従って、Ｐ−ＣＳＣＦ１７０又はＳ−ＣＳＣＦ１７０とも称されうる。マルチメディア・アプリケーション・サーバ１８０は、３ＧＰＰ＿ＴＳ  ２４．１７３に従うマルチメディア電話アプリケーション・サーバ（ＭＴＡＳ）であり得、マルチメディア処理ノードは３ＧＰＰ＿ＴＳ  ２３．３３３に従うマルチメディア・リソース機能プロセッサ（ＭＲＦＰ）であり得る。
【００３５】
加入者データベース１５０は、加入者データを格納するように構成される。この目的のため、加入者データベースは、特定の加入者又は当該加入者に使用されるＵＥ３００に関連する。言い換えると、加入者データベース１５０は、特定の加入者に関するデータを格納する一意に規定される場所である。加入者データベース１５０は、３ＧＰＰ＿ＴＳ  ２３．００２及び２３．００８に従って、ホーム加入者サーバ（ＨＳＳ）として動作しうる。従って、以下では、加入者データベース１５０を、ＨＳＳ１５０とも称する。本発明の実施例に特有である加入者データベース１５０の更なる機能は後述する。記載されていない限り、セッション連続アプリケーション・サーバ１６０は３ＧＰＰ＿ＴＳ  ２３．２３７及び２３．２９２に従ってＳＣＣ＿ＡＳの機能を実装し得る。本発明の実施例に特有であるセッション連続アプリケーション・サーバ１６０の機能は後述する。
【００３６】
図示するように、ＣＳアクセス・ドメインは、更に、制御ノード１２０に接続するメディア・ゲートウェイ・ノード１２５、加入者データ・レジスタ１９０及びゲートウェイ制御ノード１９０を含む。メディア・ゲートウェイ・ノード１２５は、３ＧＰＰ＿ＴＳ  ２３．２０５に従うメディア・ゲートウェイ（ＭＧｗ）であり得る。加入者データ・レジスタは、３ＧＰＰ＿ＴＳに従うホームロケーションレジスタ（ＨＬＲ）であり得る。ゲートウェイ・ノード１９０は、３ＧＰＰ＿ＴＳに従うゲートウェイ移動交換局（ＧＭＳＣ）であり得る。
【００３７】
更に、図４は、ＵＥ３００を例示的に示している。ＵＥ３００は、任意のタイプの移動体通信装置（例えば、携帯電話、ポータブルコンピュータ、等）であり得る。ＵＥ３００は、異なるタイプのアクセス技術（特に、上述のＬＴＥアクセス技術及び２Ｇ／３Ｇアクセス技術）を使用できると仮定される。更に、ＵＥ３００は、アクセス技術により提供される異なるアクセスタイプ（すなわちＰＳアクセス及びＣＳアクセス）を使用できると仮定される。しかしながら、特定のアクセスタイプを使用する能力は、ＵＥ３００が使用している特定のアクセスネットワークに依存するかもしれない。例えば、ＰＳアクセスを使用する音声通信は、Ｅ−ＵＴＲＡＮ２１０において可能であり得るが、２Ｇ／３Ｇ＿ＲＡＮ２２０においては可能で無いかもかもしれない。また、サポートされるアクセス能力は、同じタイプのアクセスネットワークの間で変化するかもしれない。例えば、ＰＳアクセスを使用する音声通信は、複数の２Ｇ／３Ｇ＿ＲＡＮのいくつかだけで可能かもしれない。
【００３８】
上記の装置及びノードは、図４にて図示したように互いに接続される。この目的のため、対応するインタフェースがこれらのノード間で提供される。例えば、ＭＭＥ１１０は、３ＧＰＰ＿ＴＳに従ってＳ１インタフェースを使用してＥ−ＵＴＲＡＮ２１０に接続するかもしれない。ＭＭＥ１１０は、３ＧＰＰ＿ＴＳに従ってＳ６ａインタフェースを使用してＨＳＳ１５０に接続するかもしれない。ＳＧＳＮ１１０は、３ＧＰＰ＿ＴＳに従ってＩｕインタフェースを使用して２Ｇ／３Ｇ＿ＲＡＮに接続するかもしれない。ＳＧＳＮ１１０は、３ＧＰＰ＿ＴＳに従ってＳ６ｄインタフェース又はＧｒインタフェースを使用してＨＳＳ１５０に接続するかもしれない。ＳＣＣ＿ＡＳ１６０は、３ＧＰＰ＿ＴＳに従ってＳｈインタフェースを使用してＨＳＳ１５０に接続するかもしれない。ＳＧＳＮ／ＭＭＥ１１０は、３ＧＰＰ＿ＴＳに従ってＳＧｓ又はＳＶインタフェースを使用してＭＳＣ−Ｓ１２０に接続するかもしれない。ＭＳＣ−Ｓ１２０は、３ＧＰＰ＿ＴＳに従ってＩ２又はＭｇインタフェースを使用してＣＳＣＦ１７０に接続するかもしれない。他のインタフェースは、同様に３ＧＰＰ＿ＴＳを基礎として適切に選択されうる。
【００３９】
セッションの効率的な終端を考慮するために、本発明の実施例に従う概念は、ＳＣＣ＿ＡＳ１６０に追加情報を提供することを含む。実施例に従って、より詳細には、接続又はＴＡＵ／ＲＡＵを実行するとき、ＭＭＥ／ＳＧＳＮ１１０がＵＥ３００に”ＰＳセッション上でのＩＭＳ音声がサポートされる”表示を提供する。”ＰＳセッション上でのＩＭＳ音声のサポート表示”は、ＵＥ３００に、所与のＴＡリストかＲＡリストにおいてＰＳセッション上でのＩＭＳ音声がサポートされるか否かに関する情報を提供する。場合によっては、ＭＭＥ／ＳＧＳＮ１１０は、同様にＨＳＳ１５０にこの表示を提供する。実施例によれば、これらのケースは、ＵＥの移動ネットワークへの接続、新規のＭＭＥ／ＳＧＳＮ１１０に対するＵＥのＴＡＵ／ＲＡＵ及び／又はＵＥ及びアクセス能力の変化である。
【００４０】
上述の概念を使用して、ＳＣＣ＿ＡＳ１６０は、他の情報の中から、ＰＳ上でのＩＭＳ音声がＨＳＳ１５０からサポートされるか否かの表示を接続状況を問い合わせるときに取得することが出来る。ＵＥ３００は、常に音声に対するＩＭＳにおいて登録されており、ＳＣＣ＿ＡＳ１６０は、現在使用されているアクセスがＶｏＩＰ使用可能であるか否かを決定できる。いくつかの実施例によれば、ＨＳＳデータの変化を読み取ることができる。このような方法で、ＳＣＣ＿ＡＳ１６０は、”ＰＳセッション上でのＩＭＳ音声のサポート表示”が変化したことを自動的に通知されうる。現在使用されているアクセスがＶｏＩＰ使用可能でない場合、ＳＣＣ＿ＡＳ１６０はＣＳを介したセッションを終端する。ＰＳ上でのＩＭＳ音声に対するサポートがＩＳＲごとに提供される（すなわち、ＩＳＲ内においてアクセス能力は変化しない）と仮定すると、上述の概念はＩＳＲとも互換性を持つ。
【００４１】
以下において、上述の概念の実施例は、図４に示されるシグナリングを参照することによって、更に詳細に説明される。
【００４２】
１０に示されるように、ＵＥ３００は、接続又はＴＡＵ／ＲＡＵを実行し、ＭＭＥ／ＳＧＳＮ１１０はＵＥ３００に”ＰＳセッション上でのＩＭＳ音声サポート」表示を提供する。ＵＥ３００が、音声をサポートする非３ＧＰＰネットワークに接続する場合、音声インジケータはＵＥ３００に送信されないかもしれない。しかしながら、この種の場合、インジケータは、ネットワーク（例えば、サービング又はＰＤＮ−ＧＷ１３０）により登録され得る。
【００４３】
２０では、ＭＭＥ／ＳＧＳＮ１１０は、ＨＳＳ１５０に、”ＰＳセッション上でのＩＭＳ音声サポート”表示（すなわち、ＵＥがＶｏＩＰ利用可能なベアラに接続したか否かの情報）を提供する。より詳しくは、これは、新規のＭＭＥ／ＳＧＳＮに対するＴＡＵ／ＲＡＵの場合、及び、ＴＡＵ／ＲＡＵ及びアクセス能力が変化した場合に行われる。
【００４４】
３０では、ＳＣＣ＿ＡＳ１６０は、典型的に他の情報に従って、ＰＳ上でのＩＭＳ音声がサポートされるか否かの表示を、接続情報を問い合わせるときにＨＳＳ１５０から受信する。いくつかの実施形態では、ＳＣＣ＿ＡＳ１６０は、Ｓｈインタフェース上でのＨＳＳデータの変化を読み取ることができる。このような方法で、”ＰＳセッション上でのＩＭＳ音声のサポート”表示が変化したとき自動的に通知され、すべての呼の終端に対してＨＳＳ１５０に問い合わせる必要はない。しかしながら、いくつかの実施例によれば、ＳＣＣ＿ＡＳ１６０は、また、あらゆる入来の終端呼に応答してＰＳ上でのＩＭＳ音声サポートに関する情報を要求するかもしれない。
【００４５】
４０では、スピーチメディアを有する終端セッションがＵＥ３００に入来する。ＵＥ３００の加入者はＰＳアクセスを介した音声のＩＭＳにおいて登録され、現在使用されているアクセスがＶｏＩＰ利用可能でない場合、ＳＣＣ＿ＡＳ１６０はＣＳを介してセッションを終端する。ＵＥ３００の加入者がＰＳアクセスを介した音声のＩＭＳにおいて登録され、現在使用されているアクセスがＶｏＩＰ利用可能である場合、ＳＣＣ＿ＡＳはＰＳアクセス／コンタクトを介してセッションを終端する。
【００４６】
３ＧＰＰ＿ＴＳ  ２３．２９２及び３ＧＰＰ＿ＴＳ  ２３．２３７において、指定されるように、他の終端接続ケース（例えばＩＭＳに登録されていない）では、ＭＳＣサーバを介して登録されるだけかもしれない。
【００４７】
上述のメカニズムはＨＳＳ１５０にアクセスがＶｏＩＰをサポートするか否かの表示を提供する。しかしながら、メカニズムは、同様に他のアクセス能力に関して使用され得る。以下に、ＭＭＥ１１０で利用可能な情報であり、ＨＳＳ１５０に提供され得、これにより移動ネットワークの他の機能又はアプリケーションに提供され得るいくつかの実施例が提供される。ある実施例によれば、情報は、ＩＳＲが有効か否かを示すかもしれない。例えば、ＩＳＲが有効な場合、ＳＣＣ＿ＡＳはＰＳを介した終端が失敗するタイマを調整することにより準備することが出来る。更なる実施例によれば、情報は、ＣＳＦＢショート・メッセージ・サービス（ＳＭＳ）が利用可能か否かを示すかもしれない。例えば、ＵＥ３００がＥ−ＵＴＲＡＮ２１０上にキャンプしている場合であっても、ＣＳを介したメッセージ配信が動作することが通知される３ＧＰＰ＿ＴＳ  ２３．２０４において指定されるＩＰ＿ＳＭ＿ＧＷにとって興味があるかもしれない。更なる実施例によれば、情報は、ＣＳＦＢ音声サービスが利用可能か否かを示すかもしれない。例えば、ＳＣＣ＿ＡＳ１６０がＰＳを介した終端が成功していると確信出来ない場合、ＵＥ３００がＥ−ＵＴＲＡＮ２１０上にキャンプしている場合であっても、ＣＳを介した終端が常に動作するということを知っているだろう。
【００４８】
以下に、上述の概念は、ＳＣＣ＿ＡＳ１６０に追加情報を提供する代替オプションと比較される。
【００４９】
第１の代替オプションによれば、オペレータ・ポリシーを考慮して、一旦アクセスがそれほど変化していないと決定する場合、ＶｏＩＰアクセス能力が変化するとき、ＵＥ３００はＩＭＳ登録を更新する。これは結果として、ＵＥが２Ｇ／３Ｇ＿ＲＡＮ上（例えば、ＧＥＲＡＮ又はＵＴＲＡＮ上）にキャンプしている間、ＳＣＣ＿ＡＳ１６０はＰＳを介した終端を試用しないことになる。
【００５０】
ＵＥ３００がＶｏＩＰ利用可能性が異なるアクセス間で移動するとき、第１の代替オプションはＩＭＳ登録の更新を強制することによってシグナリングは増加するが、いくつかの関連したシナリオにおいて、終端呼のセットアップ時間を短縮する。まず最初に、必要な能力を有する少数のＵＥのみが存在するため、追加の負荷は許容できるようである。また、アクセスがそれほど変化しない場合、再登録の決定をするとき、バッテリ消費への影響は低くなければならない。その後、ＬＴＥのカバー範囲又はＶｏＩＰのカバー範囲は改善され、ＵＥ３００がアクセス能力の変化によりＩＭＳ登録を更新しなければならない少数のケースがある。
【００５１】
第２の代替オプションによれば、ＳＣＣ＿ＡＳ１６０は、常に、ＣＳ位置更新の状況に対してＨＳＳ１５０（例えば、ＡＴＩを使用して）の検査を実行する。ＭＳＣサーバによるＩＭＳ登録が無く、ＬＴＥ／ＨＳを介した最新のＩＭＳ登録よりも後に位置更新が実行されたとき、ＳＣＣ＿ＡＳ１６０はＣＳを介して呼を終端しなければならない。
【００５２】
第２の代替オプションでは、有効なＩＭＳ登録がある場合であっても、ＳＣＣ＿ＡＳ１６０は、終端セッション毎に、ＣＳ位置更新の状況を読み出すためにＨＳＳ１５０に問い合わせることが必要である。それは、ＣＳを介した終端が、ＵＥが非ＶｏＩＰ能力アクセス上にキャンプしている可能性が高い全ての場合において、ＩＭＳを介した終端に対し優位であることを更に意味する。ＩＭＳ登録が新しいタイムスタンプを有することを確実にするため、ＵＥは、ＬＴＥへ移動するときにＩＭＳに登録しなければならない。ＨＳＰＡのみのカバー範囲の場合には、同様の手順が適用される。ＨＳＰＡ／ＵＴＲＡＮの同様にＣＳが可能な場合、ＵＥ３００は、ＩＭＳ終端又はＣＳ終端の何れが望ましいかに情報をＳＣＣ＿ＡＳに提供する必要がある。
【００５３】
第３の変形オプションによれば、ＩＭＳ登録を実行するときに、Ｐ−ＣＳＣＦはＲｘ上でのＩＰ−ＣＡＮ（ＩＰ接続アクセスネットワーク）タイプの変更を読み取る。さらにまた、Ｐ−ＣＳＣＦは、ＵＥがアイドル・モードであるときにＩＳＲの禁止を必要とし得るＩＰ−ＣＡＮがユーザに対して変化するとき、Ｓ−ＣＳＣＦ又はＳＣＣ＿ＡＳ１６０が通知されなければならないと通知される。ＩＰ−ＣＡＮが変化するとき、ＰＣＲＦ１４０はＰ−ＣＳＣＦにＩＰ−ＣＡＮ変化を通知される。そして、Ｐ−ＣＳＣＦは、更新されたＩＰ−ＣＡＮの通知をＳ−ＣＳＣＦ／ＳＣＣ＿ＡＳ１６０に送信する。これは概して、ＰＣＣ（ポリシー制御及び課金）に命令するのと同様に、ＰＣＳＣＦのバックツーバックユーザエージェント（Ｂ２ＢＵＡ）機能を必要とする。
【００５４】
第１及び第２の代替オプションは、ＶｏＩＰのアクセス能力の変化（第１の代替オプション）したとき又はＵＥ３００がＬＴＥへ移動したときに、ＵＥ３００がＩＭＳ登録を実行することが必要である。いずれにせよ、これはアイドル・モードにおいても必要である。第３変形例オプションは、ＵＥ３００によるシグナリングを必要とせず、すなわち”ネットワークのみ”である。しかしながら、これは、ＰＣＣに命令をしＰ−ＣＳＣＦはＢ２ＢＵＡ機能を有することが必要である。
【００５５】
本発明の実施例に従う上述の概念はＵＥ３００によるシグナリングを必要としない、すなわち”ネットワークのみ”であり、ＭＭＥ／ＳＧＳＮ１１０がＨＳＳ１５０に”ＰＳセッション上でのＩＭＳ音声のサポート表示」およびその変化を提供可能なようにいくつかの追加シグナリングに基づいている。表示が更新されるとき、ＳＣＣ＿ＡＳ１６０には自動的に通知されうる。”ネットワークのみ”を用いるソリューションは、アイドル・モードにおけるエア上のシグナリング及び電池消費を回避するために有利であると考えられる。さらに、ＨＳＳ１５０のＶｏＩＰ能力に関する情報を提供することによって、この情報が必要に応じてＳＣＣ＿ＡＳ１６０だけでなくネットワークの他の機能にも使用することができる。
【００５６】
上述の概念により、ＵＥ３００は音声のＩＭＳにおいて常に登録されることが可能になり、ＳＣＣ＿ＡＳ１６０は現在使用されているアクセスがＶｏＩＰ使用可能であるか否かを決定することが出来、ＰＳアクセス上でのセッションを終端するかＣＳにブレークアウトするかをこの情報を使用して正しく決定することが出来る。更に、ＰＳ上でのＩＭＳ音声のサポートがＩＳＲエリア毎に与えられる（すなわち、あるＩＳＲエリア中ではアクセス能力は変化しない）と仮定するとき、当該概念は、ＩＳＲとも互換性を持つ。ここで、ＩＳＲエリアは、ＴＡ及びＲＡを含むエリアであり、ＩＳＲはＳＧＳＮ及びＭＭＥによって有効化され得る。更に、当該概念はＨＳＳ１５０がアクセス能力（例えばＶｏＩＰ、ＳＭＳ及びＣＳＦＢ）に関する最新の情報を含むことを確実にするために使用され得、これらの情報はＩＭＳだけでなく他のネットワーク機能にもよっても使用され得る。
【００５７】
図５は、更に制御ノード１１０の典型的な実施例を示している。前述したように、制御ノードは、３ＧＰＰ＿ＴＳに従ったＳＧＳＮ又はＭＭＥとして動作するように構成され得る。
【００５８】
制御ノード１１０は、１以上のＲＡＮ（例えば、Ｅ−ＵＴＲＡＮ２１０又は２Ｇ／３Ｇ＿ＲＡＮ２２０）に対するＲＡＮインタフェース１１２を含む。制御ノードがＳＧＳＮ機能を有する場合、ＲＡＮインタフェース１１２は２Ｇ／３Ｇ＿ＲＡＮ２２０へのインタフェースで有り、３ＧＰＰ＿ＴＳに従ったＧｂ又はＩｕインタフェースとして実装される。制御ノード１６０がＭＭＥ機能を有する場合、ＲＡＮインタフェース１１２はＥ−ＵＴＲＡＮ２１０へのインタフェースで有り、３ＧＰＰ＿ＴＳに従ったＳ１のインタフェースとして実装される。加えて、制御ノードは、ＨＳＳ１５０へのインタフェース１１４を有する。制御ノード１６０がＳＧＳＮ機能を有する場合、インタフェース１１４は３ＧＰＰ＿ＴＳに従ったＳ６ｄインタフェース又はＧｒインタフェースとして実装され得る。制御ノード１６０がＭＭＥ機能を有する場合、インタフェース１１４は３ＧＰＰ＿ＴＳに従ったＳ６ａインタフェースとして実装され得る。更に、制御ノード１６０は、インタフェース１１２、１１４及びメモリ１１６に接続するプロセッサ１１５を含む。メモリ１１６は、読取り専用メモリ（ＲＯＭ）（例えばフラッシュＲＯＭ）、ランダムアクセスメモリ（ＲＡＭ）（例えば、ダイナミックＲＡＭ（ＤＲＡＭ）又はスタティックＲＡＭ（ＳＲＡＭ））、大容量記憶装置（例えば、ハードディスク又はソリッドステートディスク等）を含む。メモリ１１６は、前述したように制御ノード１６０の機能を実装するためにプロセッサ１１６により実行されるのに適して構成されたプログラムコードを含む。より詳しくは、メモリ１１６は、アクセス制御機能（例えば接続ＲＡＮを介した確立、修正、ドロップすること）を実装するためのアクセス制御モジュール１１７、及び、ＵＥ及び／又はＨＳＳにアクセス能力を示す上述の機能を実装するためのアクセス能力表示モジュール１１８を含む。
【００５９】
図５に示す構造は単なる模式図であり、制御ノード１１０は、実際には、明確にするために図示されない更なる要素（例えば、更なるインタフェース）を含みうることは理解されるべきである。また、メモリ１１６は、図示されていないプログラムコード・モジュールの更なるタイプ（例えば、３ＧＰＰ＿ＴＳに従ったＳＧＳＮ又はＭＭＥの周知の機能を実装するためのプログラムコード・モジュール）を含むかもしれないことも理解されていることである。
【００６０】
図６は、更に加入者データベース１５０の典型的な実施例を示している。前述したように、加入者データベース１５０は、３ＧＰＰ＿ＴＳに従ったＨＳＳとして動作するように構成され得る。
【００６１】
加入者データベース１５０は、加入者データベース１５０をＳＧＳＮ（例えば制御ノード１１０に実装される）に接続する目的の第１の制御ノード・インタフェース１５２、加入者データベースをＭＭＥ（例えば制御ノード１１０に実装される）に接続する目的の第２の制御ノード・インタフェース１５３、加入者データベース１５０を１以上のサーバ（例えばＳＣＣ＿ＡＳ１６０又は他のネットワーク機能）に接続する目的のサーバ・インタフェース１５４を含む。第１の制御ノード・インタフェース１５２は、３ＧＰＰ＿ＴＳに従ったＳ６ｄインタフェース又はＧｒインタフェースとして実装され得る。第２の制御ノード・インタフェース１５３は、３ＧＰＰ＿ＴＳに従ったＳ６ａインタフェースとして実装され得る。いくつかの実施形態では、第１の制御ノード・インタフェース１５２及び第２の制御ノード・インタフェース１５３のうちの一方だけが提供されるかもしれない、又は、これらのインタフェースは単一のインタフェースに合成されるかもしれない。サーバ・インタフェース１５４は、３ＧＰＰ＿ＴＳに従ったＳｈインタフェースであり得る。更に、加入者データベース１５０は、インタフェース１５２、１５３、１５４及びメモリ１５６に接続するプロセッサ１５５を含む。メモリ１５６は、読取り専用メモリ（ＲＯＭ）（例えばフラッシュＲＯＭ）、ランダムアクセスメモリ（ＲＡＭ）（例えば、ダイナミックＲＡＭ（ＤＲＡＭ）又はスタティックＲＡＭ（ＳＲＡＭ））、大容量記憶装置（例えば、ハードディスク又はソリッドステートディスク等）を含む。メモリ１１６は、前述したように加入者データベース１５０の機能を実装するためにプロセッサ１５６により実行されるのに適して構成されたプログラムコードを含む。より詳しくは、メモリ１５６は、加入者データ１５７（特にアクセス能力表示に関する加入者関連情報）、及び、アクセス能力に関する情報の取り扱いに必要な機能（例えば、制御ノードからの情報を受信、情報の格納、又は、要求元又は読み取るサーバ（例えば、ＳＣＣ＿ＡＳ１６０）への情報の提供）を実装するアクセス能力表示モジュール１５８を含み得る。
【００６２】
図６に示す構造は単なる模式図であり、加入者データベース１５０は、実際には、明確にするために図示されない更なる要素を含みうることは理解されるべきである。また、メモリ１５６は、図示されていない加入者データ及びプログラムコード・モジュールの更なるタイプ（例えば、３ＧＰＰ＿ＴＳに従ったＨＳＳの周知の機能を実装するためのプログラムコード・モジュール）を含むかもしれないことも理解されていることである。
【００６３】
図７は、更にアプリケーション・サーバ１６０の典型的な実施例を示している。前述したように、アプリケーション・サーバ１６０は、３ＧＰＰ＿ＴＳに従ったＳＣＣ＿ＡＳとして動作するように構成され得る。
【００６４】
アプリケーション・サーバ１６０は、アプリケーション・サーバをＨＳＳ（例えば加入者データベース１５０に実装される）に接続する目的のＨＳＳインタフェース１６２、アプリケーション・サーバ１６０を他のサーバ又はネットワーク機能（例えば、図４に示すＣＳＣＦ１７０）に接続する目的のインタフェース１６４を含む。ＨＳＳインタフェース１６２は、３ＧＰＰ＿ＴＳに従ったＳｈインタフェースとして実装され得る。サーバ・インタフェース１６４は、３ＧＰＰ＿ＴＳに従ったＩＳＣインタフェースとして実装され得る。更に、アプリケーション・サーバ１６０は、インタフェース１６２、１６４及びメモリ１６６に連結するプロセッサ１６５を含む。メモリ１６６は、読取り専用メモリ（ＲＯＭ）（例えばフラッシュＲＯＭ）、ランダムアクセスメモリ（ＲＡＭ）（例えば、ダイナミックＲＡＭ（ＤＲＡＭ）又はスタティックＲＡＭ（ＳＲＡＭ））、大容量記憶装置（例えば、ハードディスク又はソリッドステートディスク等）を含む。メモリ１６６は、前述したようにアプリケーション・サーバ１６０の機能を実装するためにプロセッサ１６６により実行されるのに適して構成されたプログラムコードを含む。より詳しくは、メモリ１６６は、上述の方法で終端制御するための終端モジュール１６７、及び、アクセス能力に関する情報の取り扱いに必要な機能（例えば、ＨＳＳから情報を要求して、必要に応じて、一時的に情報を格納する）を実装するアクセス能力モジュール１６８を含む。
【００６５】
図７に示す構造は単なる模式図であり、アプリケーション・サーバ１６０がは、実際には、明確にするために図示されない更なる要素を含みうることは理解されるべきである。また、メモリ１６６は、図示されていない加入者データ及びプログラムコード・モジュールの更なるタイプ（例えば、３ＧＰＰ＿ＴＳに従ったＳＣＣ＿ＡＳの周知の機能を実装するためのプログラムコード・モジュール）を含むかもしれないことも理解されていることである。
【００６６】
図８は、本発明の一実施例に係る方法を示すフローチャートである。当該方法は、例えば図４にて示したように、移動ネットワークにおいて、ＵＥ（例えばＵＥ３００）の通信制御のための複数のアクセスネットワークを有する移動ネットワークにおいて使用され得る。より詳しくは、当該方法は、図４及び図５の制御ノード１１０のアクセス能力情報の取扱いに用いられ得る。
【００６７】
ステップ５００は、オプションのトリガ・イベントを示している。トリガ・イベントは、ＵＥの移動ネットワークへの接続、ＵＥの他のアクセスネットワークから現在使用されているアクセスネットワークへの移動、及び／又は、アクセス能力の変化であり得る。
【００６８】
ステップ５１０では、複数のアクセスネットワークの１つでありＵＥにより現在使用されているアクセスネットワークにおけるＵＥのアクセス能力が決定される。ここで、ＵＥは、アイドル。モードであり得る（呼に遭遇しない）ことは、理解されることである。アクセス能力は、ＰＳアクセス上での音声通信のサポートであり得、特にＰＳセッション上でのＩＭＳ音声のサポートである。アクセス能力は、また、ショート・メッセージ・サービスのための回線交換フォールバックのサポート、音声サービスのための回線交換フォールバックのサポート、及び／又は、アイドル・モードシグナリング削減が有効か否かであり得る。ＵＥの視点からは、アクセス能力は変化する（例えば、ＵＥがあるアクセスネットワークから他のアクセスネットワーク（例えば、異なるアクセス技術を使用するアクセスネットワーク）に移動）。
【００６９】
ステップ５２０では、決定されたアクセス能力の表示が加入者データベース（例えば、図４と関連して述べたＨＳＳ１５０）に提供される。当該表示は、イベントに応答して（例えば、ＵＥの移動ネットワークへの接続に応答して、ＵＥの他のアクセスネットワークから現在使用されているアクセスネットワークへの移動に応答して、及び／又は、アクセス能力の変化に応答して）提供され得る。このために、ＵＥは、ＬＡＵ、ＲＡＵ又はＴＡＵを実行するかもしれない。当該イベントは、また、（オプションのトリガ・イベント５００に示されるように）イベントはアクセス能力の決定をトリガするかもしれない。
【００７０】
そして、アクセス能力に関する情報は、他のネットワーク装置又は機能によって使用するために加入者データベースに格納され得る。特に、当該情報は、セッションの終端を制御するために使用され得る。
【００７１】
図９は、本発明の一実施例に係る更なる方法を示すフローチャートである。当該方法は、例えば図４にて示したように、移動ネットワークにおいて、ＵＥ（例えばＵＥ３００）の通信制御のための複数のアクセスネットワークを有する移動ネットワークにおいて使用され得る。より詳しくは、当該方法は、図４及び図６の加入者データベース１５０のアクセス能力情報の取扱いに用いられ得る。
【００７２】
ステップ６１０では、（ＵＥに関連付けられた）加入者データベースは、複数のアクセスネットワークの１つでありユーザ装置により現在使用されているアクセスネットワークにおけるＵＥのアクセス能力の表示を受信する。当該表示は、ＵＥのこのアクセスネットワークへのアクセスを制御している制御ノード（例えば、図４及び図５の制御ノード１１０）から受信されうる。上述のように、アクセス能力は、ＰＳアクセス上での音声通信のサポートであり得、特にＰＳセッション上でのＩＭＳ音声のサポートである。アクセス能力は、また、ショート・メッセージ・サービスのための回線交換フォールバックのサポート、音声サービスのための回線交換フォールバックのサポート、及び／又は、アイドル・モードシグナリング削減が有効か否かであり得る。
【００７３】
ステップ６２０では、表示がデータベースに格納される。特に、当該表示は、ＵＥを使用している加入者に一意に関連するデータ・レコードに格納され得る。
【００７４】
ステップ６３０では、加入者データベースは、表示をＵＥへの接続の終端を制御するように構成されるサーバ（例えば、図４及び図７のセッション連続アプリケーション・サーバ１６０）に転送する。例えば、当該表示は、必要に応じて、サーバからの要求メッセージに応答して送信され得る。更に、当該サーバは、また、示されたアクセス能力の変化を読み取られるかもしれない。すなわち、サーバが読み取られるとき、加入者データベースは当該表示に関する情報の変化に応答して当該表示をサーバに自動的に転送し、それはデータベースに保存される。
【００７５】
図１０は、本発明の一実施例に係る更なる方法を示すフローチャートである。当該方法は、例えば図４にて示したように、移動ネットワークにおいて、（例えばＵＥ３００）の通信制御のための複数のアクセスネットワークを有する移動ネットワークにおいて使用され得る。より詳しくは、当該方法は、図４及び図７のアプリケーション・サーバ１６０のアクセス能力情報の取扱いに用いられ得る。
【００７６】
ステップ７１０では、複数のアクセスネットワークの１つでありユーザ装置により現在使用されているアクセスネットワークにおけるＵＥのアクセス能力の表示を加入者データベース（例えば図４及び図６の加入者データベース１５０）から受信する。例えば、必要に応じて、当該表示は、サーバからの要求メッセージに応答して受信され得る。更に、データベースに格納された表示の変化に関して自動的に通知されるように、サーバは、示されたアクセス能力の変化が読み取られるかもしれない。上述のように、アクセス能力は、ＰＳアクセス上での音声通信のサポートであり得、特にＰＳセッション上でのＩＭＳ音声のサポートである。アクセス能力は、また、ショート・メッセージ・サービスのための回線交換フォールバックのサポート、音声サービスのための回線交換フォールバックのサポート、及び／又は、アイドル・モードシグナリング削減が有効か否かであり得る。
【００７７】
ステップ７２０では、受信された表示に基づいてＵＥへの接続の終端が制御される。特に、ＰＳアクセスを使用する（すなわちＰＳドメインの）ＵＥへの接続を終端するか、ＣＳアクセスを使用しする（すなわちＣＳドメインの）ＵＥへの接続を終端するかが決定され得る。したがって、受信された表示がパケット交換アクセス上での音声通信をサポートすることを示す場合、ＰＳアクセスを使用しているＵＥへの接続を終端することが決定され得る。受信された表示がパケット交換アクセス上での音声通信をサポートしないことを示す場合、（例えば、ＣＳドメインへのブレークアウトを使用して）ＣＳアクセスを使用しているＵＥへの接続を終端することが決定され得る。
【００７８】
図８〜図１０を参照して説明したように、これらの方法は互いに合成され得る。特に、請求項８に記載の方法は、請求項９に記載の方法への入力として表示を提供するために用いられ得、及び／又は、請求項９に記載の方法は、請求項１０に記載の方法への入力として表示を提供するために用いられ得る。
【００７９】
上述の実施例及び実施形態は単に説明のためのもので有り、様々な変更態様が可能であることが理解されるべきである。例えば、当該概念が、無線アクセスネットワークの異なるタイプ又は組合せに基づく移動ネットワークの他の方式で使用され得る。また、当該概念は様々なタイプのアクセス能力情報を扱うために適用され得、この情報は様々なタイプのサーバ又は他のネットワーク装置又は機能に提供され得る。更に、上述の概念が、既存のネットワーク装置に対応して設計されたソフトウェアを用いて又は専用ネットワーク装置ハードウェアを用いて実施されうることは、よく理解されるべきである。上述の、技術仕様、報告又は標準は、参照により本願明細書に組み込まれている。
【図１】
0005657653.tif 000002
【図２】
0005657653.tif 000003
【図３】
0005657653.tif 000004
【図４】
0005657653.tif 000005
【図５】
0005657653.tif 000006
【図６】
0005657653.tif 000007
【図７】
0005657653.tif 000008
【図８】
0005657653.tif 000009
【図９】
0005657653.tif 000010
【図１０】
0005657653.tif 000011